(57)【要約】【課題】蝶ネクタイ本体部の角度を好みに応じて自在に調節できるようにすると共に、蝶ネクタイ本体部を簡単な操作で反転させて二通りの使用を楽しむことができるようにしたリバーシブル蝶ネクタイを提供する。【解決手段】表側１Ａと裏側１Ｂにそれぞれ異なった色彩または模様を施した布地を用い、且つ表裏いずれの側にも結び目状の折り溝４があらわれるように整形した蝶ネクタイ本体１と、当該蝶ネクタイ本体１を装着する者の首廻りに相当する長さを有し、且つ両端に一対の留め具を取付けたネックベルト２と、前記蝶ネクタイ本体１を前記ネックベルト２に回動可能に取付けるためのループ状抑え部材３とから構成される【選択図】図１
2017179673.tif 000002
【特許請求の範囲】
【請求項１】
表側と裏側にそれぞれ異なった色彩または模様を施した布地を用い、且つ表裏いずれの側にも結び目状の折り溝があらわれるように整形した蝶ネクタイ本体と、当該蝶ネクタイ本体を装着する者の首廻りに相当する長さを有し、且つ両端に一対の留め具を取付けたネックベルトと、前記蝶ネクタイ本体を前記ネックベルトに回動可能に取付けるためのループ状抑え部材とから構成されることを特徴とするリバーシブル蝶ネクタイ。
【請求項２】
ループ状抑え部材には一対の係着手段を設けてあり、当該係着手段を解除することによってループ部を解消し、ネックベルトから蝶ネクタイ本体を外せるようになっている請求項１に記載のリバーシブル蝶ネクタイ。
【請求項３】
ネックベルトに長さ調節手段が設けられている請求項１または請求項２に記載のリバーシブル蝶ネクタイ。
【発明の詳細な説明】
【技術分野】
【０００１】
本発明は蝶ネクタイに係り、特に蝶ネクタイ本体を簡単な操作で反転させて二通りに楽しむことができるリバーシブル蝶ネクタイに関する。
【背景技術】
【０００２】
蝶ネクタイは元来ボウ・タイ（Ｂｏｗ  ｔｉｅ）と称し、一本の細長い布地を首に廻し、当該布地の両端を蝶結びにしたものであるが、結び型を整えるのに多大な手間が掛かるという問題点があった。
そのため、このような問題点の解消を試みた種々の提案がなされている。
例えば、ピアネス・タイ（クリップ・オン、プレ・タイド）と称されている初めから結び型があって、首の側面や後側で金具や面ファスナーなどで留め付けて用いるものが知られている。
【０００３】
また、以下に示す特許文献１には、ワンタッチで迅速かつ容易に着けたり外したりすることができると共に、結び方を習得していなくても上手に着けることができるワンタッチ式の着脱容易な蝶ネクタイが開示されている。
【先行技術文献】
【特許文献】
【０００４】
【特許文献１】実用新案登録第３１０６９９０号公報
【発明の概要】
【発明が解決しようとする課題】
【０００５】
特許文献１に開示されたワンタッチ式の着脱容易な蝶ネクタイは、弾性体で略環状に形成された首嵌付体と、この首嵌付体の正面中央部に逆ハ字状に形成された第１折曲線及び第２折曲線と、この第１折曲線と第２折曲線の間に形成された傾斜部と、前記首嵌付体の一端部と第１折曲線の間に形成された円弧状の第１首押圧部と、前記首嵌付体の他端部と第２折曲線の間に形成された円弧状の第２首押圧部と、前記首嵌付体の一端部と他端部の間に形成された開口部と、前記首嵌付体の中央部に取り付けられる蝶ネクタイタイプのネクタイ本体とを有してなることを特徴としている。
【０００６】
この特許文献１に開示されたワンタッチ式の蝶ネクタイでは、あらかじめ成形された蝶ネクタイの結び目部分が首嵌付体の正面中央部に固定した状態で取付けられているので、蝶ネクタイ部分の角度を適宜調節したりすることができないと共に、表裏を反転させて、着用するスーツとのコーディネートを楽しむといった使用方法をとることができないという難点がある。
なお、前記した従来のピアネス・タイと称される簡易型蝶ネクタイにおいても表裏を反転させて二通りの使用を楽しむことができないという点においては、前記特許文献１に開示されたワンタッチ式蝶ネクタイの場合とと同様であった。
【０００７】
本発明は前記した従来の蝶ネクタイの問題点を解消し、ネックベルトおよびループ状抑え部材によって保持される蝶ネクタイ本体部の角度を好みに応じて自在に調節できるようにすると共に、蝶ネクタイ本体部を構成する表布および裏布の色彩または模様などをそれぞれ変えておき、着用するスーツなどとのコーディネートを考えて、蝶ネクタイ本体を簡単に反転させて二通りの使用を楽しめるようにしたリバーシブル蝶ネクタイを提供することを目的とするものである。
【課題を解決するための手段】
【０００８】
上記課題を解決するための本発明の構成を詳述すれば、請求項１に係る発明は、表側と裏側にそれぞれ異なった色彩または模様を施した布地を用い、且つ表裏いずれの側にも結び目状の折り溝があらわれるように整形した蝶ネクタイ本体と、当該蝶ネクタイ本体を装着する者の首廻りに相当する長さを有し、且つ両端に一対の留め具を取付けたネックベルトと、前記蝶ネクタイ本体を前記ネックベルトに回動可能に取付けるためのループ状抑え部材とから構成されることを特徴とするリバーシブル蝶ネクタイである。
【０００９】
また、請求項２に係る発明は、ループ状抑え部材には一対の係着手段を設けてあり、当該係着手段を解除することによってループ部を解消し、ネックベルトから蝶ネクタイ本体を外せるようになっている請求項１に記載のリバーシブル蝶ネクタイである。
【００１０】
さらに、請求項３に係る発明は、ネックベルトに長さ調節手段が設けられている請求項１または請求項２に記載のリバーシブル蝶ネクタイである。
【発明の効果】
【００１１】
本発明に係るリバーシブル蝶ネクタイによれば、ネックベルトに蝶ネクタイ本体が縫着などの手段で定着された状態になっていないので、ネックベルトに対する取付け角度を自在に調節することが可能となる。
【００１２】
また、蝶ネクタイ本体は表側と裏側にそれぞれ異なった色彩または模様を施した布地を用いていると共に、表裏いずれの側にも結び目状の折り溝があらわれるように整形してあり、且つネックベルトにループ状抑え部材を介して回動可能な状態で保持されているので蝶ネクタイのウイング部を反転させて用いることができ、着用するスーツなどとの調和を考えて二通りに着用を楽しむことができる。
【図面の簡単な説明】
【００１３】
【図１】本発明に係るリバーシブル蝶ネクタイを構成する蝶ネクタイ本体、ネックベルトおよびループ状抑え部材の斜視図である。
【図２】ネックベルトにループ状抑え部材を介して蝶ネクタイ本体を取付けるときの裏面側の説明図である。
【図３】ループ状抑え部材に設けてある一対の係着手段を係着させて蝶ネクタイ本体をネックベルトに取付けたときの裏面側の説明図である。
【図４】本発明に係るリバーシブル蝶ネクタイの一例を示す正面図である。
【図５】蝶ネクタイ本体を反転させるときの操作の説明図である。
【発明を実施するための形態】
【００１４】
以下、本発明に係るリバーシブル蝶ネクタイの具体的構成を図示の実施形態に基づき詳細に説明する。
【００１５】
なお、次に示す実施形態は、本発明の技術的思想を具体化するためのリバーシブル蝶ネクタイの一例を示すに過ぎないものであって、本発明は以下の構成に限定されるものではない。特に実施の形態および図面に記載されている構成要素の大きさ、材質、形状などは、特定的な記載がない限り本発明の範囲をそれのみに限定する趣旨ではなく、単なる説明例に過ぎないものである。また、各図面が示す部材の大きさや位置関係等は説明を明確にするために誇張していることがある。
【００１６】
本発明に係るリバーシブル蝶ネクタイは、図１に示すように、蝶ネクタイ本体１、ネックベルト２およびループ状抑え部材３から構成され、簡単な操作で蝶ネクタイ本体１をネックベルト２上において反転させて二通りの用い方ができるようにしたものである。
【００１７】
先ず、蝶ネクタイ本体１について説明する。蝶ネクタイ本体１を構成する素材として最も好ましいのは独特の光沢と風合いを発現するシルク素材であるが、季節によってはウール素材やヘンプ（麻）、コットン素材も有効である。また、手入れが比較的容易なポリエステル素材や、アセテート素材などの化学繊維素材も好適に用いられる。
【００１８】
蝶ネクタイ本体１は上記素材を用いて好みの適宜形状に整形するものであるが、本発明に係る蝶ネクタイにおいては、表側１Ａと裏側１Ｂにそれぞれ異なった色彩または模様などを施した布地を用い、且つ表裏いずれの側にも結び目状の折り溝４があらわれるように整形してある。
【００１９】
図１に示す蝶ネクタイ本体１は左右のウイングのほぼ中央部に留め糸５を巻き付けて絞り込み、当該留め糸５の左右に結び目状の折り溝４があらわれるようにしてある。従って、当該折り溝４は左ウイングおよび右ウイングの表裏両面にあらわれてくる。
なお、前記留め糸５を用いずに左右のウイングのほぼ中央部を絞り込んでから接着剤などを用いて形状を安定化させるようにすることも可能である。また、特に図示しないが、左右のウイングのほぼ中央部に合成樹脂や金属製の短尺パイプを嵌着して左右のウイング部に結び目状の折り溝４を形成するようにすることもでき、このような変更例も本発明の範囲に含まれるのは云うまでもない。
【００２０】
次に、ネックベルト２は、前記蝶ネクタイ本体１を構成する布地と同系色の布地等が好適に用いられ、蝶ネクタイ本体１を装着する者の首廻りに相当する充分な長さを有し、且つ両端に一対の留め具６Ａ、６Ｂを取付けてある。
従来のピアネス・タイは前記したようにこのネックベルト２に蝶型に整形された蝶ネクタイ本体部分が縫着あるいは取付ピンなどによって一体化されていたのであるが、本発明に係るネックベルト２には蝶ネクタイ本体部分は予め取付けられておらず、別パーツとして存在している。
【００２１】
前記ネックベルト２の必要長さを調節するため、ベルト部には長さ調節環８を取付けてある。
図示する実施形態の一対の留め具６Ａ、６Ｂは環状部とフック部とからなる従来公知の構造のものであるが、これを他の構造に換えることができるのは勿論である。また、ネックベルト２の必要長さを調節するための調節環の構造も従来公知のものに交換できるのは勿論であり、これらの部分の変更例も本発明の範囲に含まれる。
【００２２】
次に、ループ状抑え部材３は蝶ネクタイ本体１をネックベルト２に回動可能に保持させる役目をなすものであり、前記ネックベルト２と同様に蝶ネクタイ本体１を構成する布地と同系色の布地が好適に用いられる。
しかしながら、好みによっては蝶ネクタイ本体１とは別の素材、例えば天然皮革や人工皮革などを用いて作製することも可能であり、当該別素材を用いたループ状抑え部材３も本発明の範囲に含まれる。
【００２３】
図示の実施形態では、ループ状抑え部材３には一対の係着手段７Ａ，７Ｂを設けてあり、当該係着手段７Ａ，７Ｂを解除することによってループ部を解消したり、あるいは係着手段７Ａ，７Ｂを互いに係着させてループ部を形成したりすることができるようになっている。なお、一対の係着手段７Ａ，７Ｂは雄雌嵌合型のホックとしてあるが、これを面ファスナーなどの他の係着手段に置き換えることができるのは勿論である。
【００２４】
当該ループ状抑え部材３を用いて蝶ネクタイ本体１をネックベルト２に回転可能に保持させるには、図２に示すように、ネックベルト２の表面側に蝶ネクタイ本体１を重ね合わせてから当該蝶ネクタイ本体１の中央部分を覆うように、すなわち、蝶ネクタイ本体１の横軸線方向と直交するようにして扁平状となしたループ状抑え部材３を巻き付けてループ状抑え部材３の一対の係着手段７Ａ，７Ｂを互いに係着させることによってなされる。図３はネックベルト２の裏側において一対の係着手段７Ａ，７Ｂを係着させたときの説明図であり、雄雌嵌合型のホックを係着させると当該係着手段７Ａ，７Ｂは表面にあらわれないようになっている。
【００２５】
この場合、蝶ネクタイ本体１はネックベルト２に縫着などされておらず、単にループ状抑え部材３によって適当な力で柔軟に抑えられているだけであるから、ウイングの何れか一方を掴むか、あるいは蝶ネクタイ本体１の中央付近を掴んで角度を調節したり、あるいは１８０°回転させて裏側の布地を表側にあらわすことができる。これらの操作はループ状抑え部材３が優しく蝶ネクタイ本体１を抑えているので楽に行うことができる。
【００２６】
なお、蝶ネクタイ本体１における左右のウイングが比較的小さい小振りの蝶ネクタイ、または皺になり難く且つ復元性を有する布地を用いて作製した蝶ネクタイの場合には、前記した一対の係着手段を具備しないループ状抑え部材３を用いて蝶ネクタイ本体１をネックベルト２に回転可能に保持させることができる。
【００２７】
すなわち、特に図示しないが、布地などをループ状ないし筒状に形成し、合わせ部を縫着などでループ部が崩れないようにしたものをループ状抑え部材３となし、これをネックベルト２の一方の端部から挿着して、所定位置まで移動させ、当該ループ状抑え部材３のループ部ないし筒状部内に蝶ネクタイ本体１の一方のウイングを縮めながら押し込んで蝶ネクタイ本体１の中央部付近をループ状抑え部材３によって覆うようにして保持させることができる。この場合も、前記と同様に蝶ネクタイ本体１の中央部付近などを掴んで角度を調節したり、あるいは１８０°回転させて裏側の布地を表側にあらわし、リバーシブルとして二通りに使用することができる。
【００２８】
図５はループ状抑え部材３を介してネックベルト２に保持された蝶ネクタイ本体１を回転させるときの要領を示すものであり、ループ状抑え部材３は一対の係着手段７Ａ，７Ｂを具備したもの、または当該一対の係着手段７Ａ，７Ｂを具備していない通常のループ状ないし筒状に形成されたものの両方に共通である。
【００２９】
先ず、図５（Ａ）はループ状抑え部材３によって保持された蝶ネクタイ本体１は表側１Ａの布地が表面にあらわれている。ネックベルト２をシャツの襟廻りに通して留め具６Ａ，６Ｂを互いに留めてから蝶ネクタイ本体１が襟の中央部におさまるように調整し、且つ角度を適宜調整する。次に、図５（Ｂ）のように蝶ネクタイ本体１を掴んで９０°回転させ、さらに図５（Ｃ）のように回転を続けると表側１Ａとは異なった色彩または模様を有する裏側１Ｂの布地があらわれ、１８０°回転させると裏側１Ｂの布地が図５（Ｄ）のように正面にあらわれる。
これら一連の操作はループ状抑え部材３によって優しく保持されたループ部内で行なわれるのできわめてスムーズである。
【００３０】
以上のように、本発明に係るリバーシブル蝶ネクタイによれば、ネックベルトおよびループ状抑え部材によって保持された蝶ネクタイ本体部の角度を好みに応じて自在に調節することができると共に、蝶ネクタイ本体部を簡単な操作で反転させて二通りの使用を楽しむことができ、蝶ネクタイに対する需要を喚起することができる。
【符号の説明】
【００３１】
１：蝶ネクタイ本体
１Ａ：表側
１Ｂ：裏側
２：ネックベルト
３：ループ状抑え部材
４：折り溝
５：留め糸
６Ａ：留め具
６Ｂ：留め具
７Ａ：係着手段
７Ｂ：係着手段
８：長さ調節環
【図１】
2017179673.tif 000003
【図２】
2017179673.tif 000004
【図３】
2017179673.tif 000005
【図４】
2017179673.tif 000006
【図５】
2017179673.tif 000007